(57)【要約】【課題】  本発明の課題は、ロケットエンジンやその伸展ノズルのような中空殻構造体に作用する外力を、内圧や熱による変形といった内力の影響を受けないで検出できる多分力を計測する手法を提示すると共に、そのような多分力計測システムを提供することにある。【解決手段】発明の中空殻構造体の多分力計測システムは、両端にボールジョイントと中間にロードセルを備えた６本の支持ロッドを用い、一端のジョイント部を中空殻構造体に固着すると共に、他端のジョイント部を支持ベースに固着し、前記各ロッドは異なる方向から該中空殻構造体を支持するようにし、各支持ロッドの軸力の計測値を基に、各支持ロッドの幾何学的位置関係から中空殻構造体が受ける外荷重の分力を解析的に求めるようにした。【選択図】  図１
2006250605.tif 000002
【特許請求の範囲】
【請求項１】
両端にボールジョイントと中間にロードセルを備えた少なくとも６本の支持ロッドを用い、一端のジョイント部を中空殻構造体に固着すると共に、他端のジョイント部を支持ベースに固着し、前記各ロッドは異なる方向から該中空殻構造体を支持する機構を採用した中空殻構造体の多分力計測システム。
【請求項２】
両端にボールジョイントを備えた６本の支持ロッドによる支持機構であって、２本の支持ロッドを組み合わせた三角形の支持トラスを基本とし、３組の支持トラスの各頂点が中空殻構造体又は支持ベースの概ね１２０°間隔の円周位置にあるように構成した請求項１に記載の中空殻構造体の多分力計測システム。
【請求項３】
ロードセルは単軸型を用い、上記の支持機構を構成する各支持ロッドに装着するようにした請求項１又は２に記載の中空殻構造体の多分力計測システム。
【請求項４】
演算部を備え、各支持ロッドの軸力(引張り及び圧縮)の計測値を基に、各支持ロッドの幾何学的位置関係から中空殻構造体が受ける外荷重の分力を解析的に求めるようにした請求項１乃至３のいずれかに記載の中空殻構造体の多分力計測システム。
【請求項５】
各支持ロッドの軸力の計測値をデータとして取り込む手段と、各支持ロッドの幾何学的位置関係をデータとして入力する手段と、前記計測データと幾何学的位置データとから中空殻構造体が受ける外荷重の分力を算出する演算プログラムが蓄積された記憶部とを備えた請求項４に記載の中空殻構造体の多分力計測システム。
【発明の詳細な説明】
【技術分野】
【０００１】
本発明は内圧や熱による変形を伴うロケットエンジンの伸展ノズルのような中空殻構造体に掛かる外荷重の多分力計測システム、すなわち、内圧や熱による変形を許容し、外荷重のみを計測する手法およびそれを実現するシステムに関する。
【背景技術】
【０００２】
多分力計測方法としては、多分力ロードセルを用いる方法や複数の単軸ロードセルを用いる方法が知られているが、重心位置や中心軸上に支持点を持ち得ない円錐殻や円筒殻などの中空殻構造体に作用する外荷重の多分力計測を行う場合、一点支持は困難であり複数点で支持しなければならない。特許文献１に示されたものは、ロケットエンジンの推力計測試験及び飛翔体等に加わる分力の計測試験に関するものであって、図９に示されるように、概ね円筒構造であるロケットエンジンは架台ｈ間に取り付けられた複数の支持ロッドによって支持されると共に、その支持ロッドに取り付けられた分力検出器ａ〜ｆにより分力が検出される。これらの検出器により検出された分力は、シグナルコンディショナｊを通して所要の電気信号に変換され、処理用計算機ｋに取り込まれて力成分が算出される。ここで取得された分力のデータは、供試体ロケットエンジンｇのねじれ等の影響による干渉力が含まれており独立した分力成分を計測するには、得られたデータから行列演算を用いて、これらの力成分（Ｆｘ，Ｆｙ，Ｆｚ，Ｍｘ，Ｍｙ，Ｍｚ）を計算する必要が有る。
【０００３】
また、ロケットエンジン燃焼試験において、伸展ノズルが受ける動的荷重の測定を行う場合、その伸展ノズルは天面と底面が抜けた円錐台形の構造体であるため、これも複数の支持ロッドで支承する形態が採られる。このような複数点支持を行うに際して、従来の方法では、図１の(ａ)に示されるようにロードセルを装着した弾性支持棒を用い供試体である伸展ノズルに一端を固定し、他端を支持ベースに固着される形態となっている。エンジン燃焼時にはその内圧や熱により伸展ノズルは図に示されるように径が大きくなるように変形する。この変形は支持ロッドによって拘束を受け、その反作用として各ロードセルには変形に起因する干渉力（曲げ荷重）が発生する。そのため、本来各ロードセルは外荷重の計測のため軸方向の引っぱり（圧縮）力を検出したいのであるが、その曲げ荷重がロードセルに重畳してしまう。外荷重のみを計測するには、この内圧や熱による変形に伴う干渉力を除去するための事前の校正試験や事後の演算処理が必要となり、そのデータ処理が煩雑になるという難点があった。
【特許文献１】特開平７−２５３３７０号公報  「６分力の計測システム」  平成７年１０月３日公開
【発明の開示】
【発明が解決しようとする課題】
【０００４】
本発明の課題は、ロケットエンジンやその伸展ノズルのような中空殻構造体に作用する外力を、内圧や熱による変形といった内力の影響を受けないで検出できる多分力を計測する手法を提示すると共に、そのような多分力計測システムを提供することにある。
【課題を解決するための手段】
【０００５】
本発明の中空殻構造体の多分力計測システムは、両端にボールジョイントと中間にロードセルを備えた少なくとも６本の支持ロッドを用い、一端のジョイント部を中空殻構造体に固着すると共に、他端のジョイント部を支持ベースに固着し、前記各ロッドは異なる方向から該中空殻構造体を支持する機構を採用した。
６本の支持ロッドによる支持機構は、２本の支持ロッドを組み合わせた三角形の支持トラスを基本とし、３組の支持トラスの各頂点が中空殻構造体又は支持ベースの概ね１２０°間隔の円周位置にあるように構成した。
本発明の中空殻構造体の多分力計測システムではロードセルは単軸型を用い、上記の支持機構を構成する各支持ロッドに装着するようにした。
本発明の中空殻構造体の多分力計測システムでは、演算部において、各支持ロッドでの軸力(引張り及び圧縮)の計測値を基に、各支持ロッドの幾何学的位置関係から中空殻構造が受ける外荷重の分力を解析的に求めるようにした。
【発明の効果】
【０００６】
本発明の中空殻構造体の多分力計測システムは、両端にボールジョイントと中間にロードセルを備えた少なくとも６本の支持ロッドを用い、一端のジョイント部を中空殻構造体に固着し、他端のジョイント部を支持ベースに固着して異なる方向で該中空殻構造体を支持するようにしたので、内圧や熱による中空殻構造体の変形に伴う曲げ荷重や捻れ力は前記ボールジョイントによって逃がすことができ、前記支持ロッドへの負荷は軸方向のみの力となって、内圧や熱による中空殻構造体の変形に拘束されない支持機構を実現できた。
また、本発明の中空殻構造体の多分力計測システムは、６本の支持ロッドによる支持機構を２本の支持ロッドを組み合わせた三角形の支持トラスを基本とし、３組の支持トラスの各頂点が中空殻構造体又は支持ベースの概ね１２０°間隔の円周位置にあるように構成したことにより、各支持ロッドへの負荷はほぼ均等となるように構成でき、６本の支持ロッドは部品としても同じものを使用することが出来る。
本発明の中空殻構造体の多分力計測システムでは、ボールジョイントを介在させたことにより支持ロッドに曲げ荷重や捻れ力が掛かることはなく、軸方向の力だけを検出すればよいのでロードセルは単純で安価な単軸型を用いることで足りる。
【０００７】
更に、本発明の中空殻構造体の多分力計測システムでは、演算部において、各支持ロッドでの軸力(引張り及び圧縮)の計測値を基に、各支持ロッドの幾何学的位置関係から中空殻構造が受ける外荷重の分力を解析的に求めるようにしたものであるから、事前の校正試験や事後の演算処理が煩雑になるという難点もなく、幾何学的位置関係を入力するだけで容易に算出することが出来る。
すなわち、本発明の中空殻構造体の多分力計測方法では、内圧や熱による中空殻構造の変形を拘束せず、中空殻構造に作用する外荷重の分力を各ロッドの軸力(引張り及び圧縮)から計測することが出来る。
【発明を実施するための最良の形態】
【０００８】
本発明の中空殻構造体の多分力計測システムは、原理上は両端にボールジョイントと中間にロードセルを備えた６本の支持ロッドを用い、一端のジョイント部を中空殻構造体に固着し、他端のジョイント部を支持ベースに固着して異なる方向で該中空殻構造体を支持する構成を備えていれば、内圧や熱による中空殻構造の変形に伴って支持ロッドへ干渉する曲げ荷重や捻れ力を前記ボールジョイントによって逃がし、前記支持ロッドへの負荷は軸方向のみの力とすることができ、内圧や熱による中空殻構造の変形を拘束しない支持機構の実現と多分力計測を可能と出来るものであるが、本発明者等は中空殻構造体の支持機構として３点支持を出発として、２本の支持ロッドを組み合わせた三角形の支持トラスを基本とし、３組の支持トラスからなる６本の支持ロッドによる支持機構に想到したものである。
【０００９】
図１に本発明の原理図を示して説明する。図の(ａ)に示した従来の方法では、伸展ノズルのような中空殻構造体５を３点支持の形態で３本の支持ロッド１で支持ベース４に固定している。この固定は各支持ロッド１の一端を支持ベース４に固着し、他端を中空殻構造体５に固着するというものである。この様な支持形態を採るものであるため、内圧や熱により中空殻構造体５が膨張し図に示されるように変形した場合、中空殻構造体の変形を拘束しているため、各支持ロッド１は中空殻構造体５側で外側に彎曲される。従って、各支持ロッド１の中間部に取り付けられたロードセル２には曲げ荷重が掛かり、本来のエンジン推進力に対応する軸方向力検出に変形に起因する干渉力を排除できないこととなる。外荷重の分力測定を行うには、変形に起因する干渉力の影響を取り除くため、事前の校正試験や校正試験に基づく事後の厄介な演算処理が必要となる。
【００１０】
図の(ｂ)に示した本発明による１つの方法は、中空殻構造体５の端部周方向の３箇所にボールジョイント３を配置し、その点を一端とする２本の支持ロッド１からなる三角トラスを３組設置し、６本の支持ロッド１の他端を支持ベース４にボールジョイント３を介して固定する。６本の支持ロッドはそれぞれ方向を異ならせて配置され、中空殻構造体５を支持する。両端にボールジョイント３を配置した支持ロッド１によって中空殻構造体５を固定的に支持するためには方向を異にした６本が必要であり、５本では支持できない。６本の支持ロッド１の中間部にはロードセル２がそれぞれ配設されている。伸展ノズルのような中空殻構造体５が内圧や熱により膨張し図に示されるように変形した場合、中空殻構造体５の変形を受けて支持ロッド１の端部は外側に変位させられるが、この支持ロッド１の両端はボールジョイント３を介して取り付けられているため、各支持ロッド１はその分方向を変えるだけで曲げ荷重や捻り力は作用しない。従って、各支持ロッド１に取り付けたロードセル２には変形による干渉力は発生しない。また、中空殻構造に作用する外荷重に対しては、各支持ロッド１での軸力(引張り及び圧縮)を計測すれば、各支持ロッドの幾何学的位置関係から解析的に求めることができる。
【００１１】
図の(ｃ)に示した本発明によるもう１つの方法は、支持ベース４の３箇所にボールジョイント３を配置し、その点を一端とする２本の支持ロッド１からなる三角トラスを３組設置し、６本の支持ロッド１の他端を中空殻構造体５の端部周方向の６箇所にボールジョイント３を介して固定する。６本の支持ロッドはそれぞれ方向を異ならせて配置され、中空殻構造体５を支持する。この場合も支持ロッド１によって中空殻構造体５を固定的に支持するためには方向を異にした６本が必要であり、５本では支持できない。６本の支持ロッド１の中間部にはロードセル２がそれぞれ配設されている。要するに(ｂ)に示した例とは三角トラスの向きが逆となった形態である。伸展ノズルのような中空殻構造体５が内圧や熱により膨張し図に示されるように変形した場合、中空殻構造体５の変形を受けて支持ロッド１の端部は外側に変位させられるが、この支持ロッド１の両端はボールジョイント３を介して取り付けられているため、各支持ロッド１はその分方向を変えるだけで曲げ荷重や捻り力は作用しない。従って、各支持ロッド１に取り付けたロードセル２には変形による干渉力は発生しない。また、中空殻構造に作用する外荷重に対しては、各支持ロッド１での軸力(引張り及び圧縮)を計測すれば、各支持ロッドの幾何学的位置関係から解析的に求めることができる点も(ｂ)に示した例と同様である。
【００１２】
次に、各支持ロッドの幾何学的位置関係から中空殻構造体の多分力を解析的に求める手法について、説明する。まず、分力算出手順としては第１のステップとして各ロッドに作用する荷重を、それぞれｘ, ｙ, ｚ成分に分解する。第２のステップとして各ロッドのｘ, ｙ, ｚ成分を、成分毎に合成するという手法で求める。
今、図１の(ｃ)に示したような６本の支持ロッドを三角トラス３組からなる形態で伸展ノズルのような中空殻構造体を支承したモデルとして解析する。このモデルの全体概要図を図２に示し、中空殻構造体の軸方向をｚ軸とし、水平方向をｘ軸、鉛直方向をｙ軸として、図３には(１)には中空殻構造体端面の、(２)には固定面の、(３)にはロッド部分を投影したｘ−ｙ平面図を示す。これらの図から分かるように、中空殻構造体のフランジ部半径ｒの円周方向に６０°間隔でボールジョイントを配置しロッドＡ〜Ｆの一端を結合し、他端は固定面に２本のロッドを組にして三角トラスの頂点となるようにボールジョイントを同じ半径ｒの円周方向にほぼ１２０°間隔で配置してある。ただし、ボールジョイントは兼用できないので、２つの部材は近接配置してある。
各ロッドでの荷重計測値をＦＡ, ＦＢ, ＦＣ,ＦＤ, ＦＥ, ＦＦと表し、ロッドに掛かる引張り荷重を正、圧縮荷重を負とする。各ロッド長さはすべて同じｌ1とする。中空殻構造側のロッド端の６点は図３の(１)に示すＡ１〜Ｆ１であり、同定面側のロッド端の点Ａ２〜Ｆ２は、図３の(２)に示すように半径ｒの円を３等分する各点に対して±δの位置に配置されている。この角度δは、ロッド取付治具であるボールジョイントの設置に要するスペース確保のためのものである。
【００１３】
まず、ロッドＡに掛かる荷重ＦAについて図４の(Ａ)参照を参照しながら解析する。図の(１)に示すｘ−ｙ平面図で点Ａ1とＡ2の角度差をα、ロッドＡの方向とｘ軸とのなす角をγAで表し、(２)に示すそのロッドＡを含むｚ軸と平行なＡ’−Ａ”平面でのロッドＡとｚ軸とのなす角をβで表すと、
ｌ2＝２ｒsinα/２＝２ｒsin(３０°−δ)/２  ‥‥‥‥‥‥(Ａ１)
これを用いて、図４(２)より
ｌ3＝(ｌ1２−ｌ2２)1/2，β＝tan−１ｌ2/ｌ3  ‥‥‥‥‥‥(Ａ２)
従って
Ｆ0A＝ＦAsinβ，  ＦｚA＝ＦAcosβ          ‥‥‥‥‥‥(Ａ３)
一方、図４(１)において
γA＝（１８０°−α）/２−(α＋２δ)＝４５°−δ/２
従って
ＦｘA＝Ｆ0AcosγA＝ＦAsinβcosγA
ＦｙA＝Ｆ０AsinγA＝ＦAsinβsinγA          ‥‥‥‥‥‥(Ａ４)
【００１４】
次に、ロッドＢに掛かる荷重ＦBについて図４の(Ｂ)参照を参照しながら解析する。
図の(３)に示すｘ−ｙ平面図で点Ｂ1とＢ2の角度差は同じ角度α、ロッドＢの方向とｘ軸とのなす角をγBで表し、(２)に示すそのロッドＢを含むｚ軸と平行なＢ’−Ｂ”平面でのロッドＢとｚ軸とのなす角を同じくβで表すと、
図４(３)および(４)において
Ｆ0B＝ＦBsinβ，  ＦｚB＝ＦBcosβ          ‥‥‥‥‥‥(Ｂ１)
一方、図４(３)において
γB＝(１８０°−α)/２＝７５°＋δ/２
従って
ＦｘB＝−Ｆ0BcosγB＝−ＦBsinβcosγB
ＦｙB＝−Ｆ０BsinγB＝−ＦBsinβsinγB      ‥‥‥‥‥‥(Ｂ２)
【００１５】
次に、ロッドＣに掛かる荷重ＦCについて図４の(Ｃ)参照を参照しながら解析する。
図の(５)に示すｘ−ｙ平面図で点Ｃ1とＣ2の角度差は同じ角度α、ロッドＣの方向とｘ軸とのなす角をγCで表し、(６)に示すそのロッドＣを含むｚ軸と平行なＣ’− Ｃ”平面でのロッドＣとｚ軸とのなす角を同じくβで表すと、
図４(５)および(６)において、式(Ａ１)、(Ａ２)と同じ式が成立する。
従って、図４(６)において
Ｆ0C＝ＦCsinβ，  ＦｚC＝ＦCcosβ          ‥‥‥‥‥‥(Ｃ１)
一方、図４(５)において
γC＝(１８０°−α)/２−６０°＝１５°＋δ/２
従って
ＦｘC＝−Ｆ0C cosγC＝−ＦCsinβcosγC
ＦｙC＝Ｆ0CsinγC＝ＦCsinβsinγC  ‥‥‥‥‥‥(Ｃ２)
【００１６】
ロッドＤについてはロッドＣとの対称性を考慮して
ＦｘD＝Ｆ0DcosγD＝ＦDsinβcosγD
ＦｙD＝Ｆ0DsinγD＝ＦDsinβsinγD
ＦｚD＝ＦDcosβ                          ‥‥‥‥‥‥(Ｄ１)
なお、    γD＝γC                            ‥‥‥‥‥‥(Ｄ２)
ロッドＥについてはロッドＢとの対称性を考慮して
ＦｘE＝Ｆ0EcosγE＝ＦEsinβcosγE
ＦｙE＝−Ｆ0EsinγE＝−ＦEsinβsinγE
ＦｚE＝ＦEcosβ                       ‥‥‥‥‥‥(Ｅ１)
なお、    γE＝γB                            ‥‥‥‥‥‥(Ｅ２)
ロッドＦについてはロッドＡとの対称性を考慮して
ＦｘF＝−Ｆ0FcosγF＝−ＦFsinβcosγF
ＦｙF＝Ｆ0FsinγF＝ＦFsinβsinγF
ＦｚF＝ＦFcosβ                       ‥‥‥‥‥‥(Ｆ１)
なお、    γF＝γA                            ‥‥‥‥‥‥(Ｆ２)
【００１７】
次に各ロッドのx，ｙ，z成分を、成分毎に合成する。
Ｆｘ＝ＦｘＡ＋ＦｘＢ＋ＦｘＣ＋ＦｘＤ＋ＦｘＥ＋ＦｘＦ
Ｆｙ＝ＦｙＡ＋ＦｙＢ＋ＦｙＣ＋ＦｙＤ＋ＦｙＥ＋ＦｙＦ
Ｆｚ＝ＦｚＡ＋ＦｚＢ＋ＦｚＣ＋ＦｚＤ＋ＦｚＥ＋ＦｚＦ
式(Ａ３)，(Ａ４)，(Ｂ１)，(Ｂ２)，(Ｃ１)，(Ｃ２)，(Ｄ１)，(Ｅ１)，(Ｆ１)を代入すると、ｘ，ｙ，ｚ成分の各分力は次のように求められる。
Ｆｘ＝sinβ(ＦAcosγA−ＦBcosγB−ＦCcosγC＋ＦDcosγD＋ＦEcosγE−ＦFcosγF)
Ｆｙ＝sinβ(ＦAsinγA−ＦBsinγB＋ＦCsinγC＋ＦDsinγD−ＦEsinγE＋ＦFsinγF)
Ｆｚ＝cosβ(ＦA＋ＦB＋ＦC＋ＦD＋ＦE＋ＦF)
ここで、
ｌ2＝２ｒsin(３０°−δ)/２，ｌ3＝(ｌ1２−ｌ2２)1/2，β＝tan−１ｌ2/ｌ3
γA＝γF＝４５°−δ/２，γB＝γE＝７５°＋δ/２，γC＝γD＝１５°＋δ/２
式(Ｄ２)，(Ｅ２)，(Ｆ２)を考慮すれば、次のように整理できる。
Ｆｘ＝sinβ[cosγA(ＦA−ＦF)＋cosγB(−ＦB＋ＦE)＋cosγC(−ＦC＋ＦD)]
Ｆｙ＝sinβ[sinγA(ＦA＋ＦF)＋sinγB(−ＦB−ＦE)＋sinγC(ＦC＋ＦD)]
Ｆｚ＝cosβ(ＦA＋ＦB＋ＦC＋ＦD＋ＦE＋ＦF)
以上が各支持ロッドの幾何学的位置関係から中空殻構造体の多分力を解析的に求める手法であるが、因みに、ｌ１＝360ｍｍ、ｒ＝143ｍｍ、δ＝５°の場合、各分力は以下で与えられる。
Ｆｘ＝0.126ＦＡ−0.037ＦＢ−0.164ＦＣ＋0.164ＦＤ＋0.037ＦＥ−0.126ＦＦ
Ｆｙ＝0.116ＦＡ−0.168ＦＢ＋0.052ＦＣ＋0.052ＦＤ−0.168ＦＥ＋0.116ＦＦ
Ｆｚ＝0.985(ＦＡ＋ＦＢ＋ＦＣ＋ＦＤ＋ＦＥ＋ＦＦ)
【００１８】
本発明の中空殻構造体の多分力計測システムは、被測定対象となる中空殻構造体を支持するロッド等の支持機構と該ロッドに掛かる軸力を計測する手段だけでなく、前記計測データと幾何学的位置データとから中空殻構造体が受ける外荷重の分力を算出する手段を必要とする。この手段はパーソナルコンピュータのような汎用の計算機を用いることが出来る。本発明の技術的思想に基づいて作成された演算プログラムがその記憶部に蓄積されていればよい。また、前記計測データはデジタル信号に変換されていれば容易にコンピュータに取り込むことが出来るし、幾何学的位置データについてはキーボード等適宜の入力手段でコンピュータに取り込むことが出来る。このようなシステムはデータ処理が簡単なため、高速サンプリングデータにも実時間での分力モニターが可能である。
【実施例１】
【００１９】
本発明による実施例として、ロケットエンジン燃焼試験において、伸展ノズル(中空殻構造体)が受ける動的荷重の測定方法を示す。図５はこの実施例の側面図であり、図６はその撮像写真である。中空殻構造体５である伸展ノズルは、両端にボールジョイントを備えた６本の支持ロッド１により構成される支持トラスによって支持されている。６本の支持ロッド１はそれぞれ、軸方向を異にしていることが中空殻構造体５を支持する上での必須の条件であるが、この実施例では２本の支持ロッドで三角トラスを構成するようにしてあり、その三角トラスが３組配設されている。固定面となるブラケットにほぼ正三角形の各頂点位置に２つづつのボールジョイント３を固着し、他端側の伸展ノズル端部のフランジ部にほぼ６０°間隔で６つのボールジョイント３を固着するようにした。各支持ロッド１は両端がボールジョイント３で結合されているので、このロケットエンジンからの高温燃焼ガスにより内圧や熱による変形を受けてもその変形により曲げ荷重や捻れ力が各支持ロッド１に掛かることはない。また、外荷重として燃焼ガスによる変動荷重を受けるが、その変動荷重は各支持ロッド１の軸力によって支えられるため、外荷重の各分力は各支持ロッドに装着した単軸型のロードセル２での計測値をもとに各支持ロッド１の方向など幾何学的配置関係から解析的に求めることが出来る。
【００２０】
この実施例を用いて行った動的荷重の分力測定結果を示す。図７はエンジン稼働時の状態を示した写真で、Ａは高膨張状態を、Ｂは低膨張状態を示している。前者Ａの稼働状態では燃焼ガスが伸展ノズルの内面に沿って噴射されており、後者Ｂの稼働状態では燃料ガスが伸展ノズルの内面から剥離して噴射されている。高膨張状態から低膨張状態に移行する過渡期においてはリング状の剥離位置は軸方向に変化することが確認されている。
各ロッドに掛かる圧縮荷重を正、引っ張り荷重を負として、図６に示すように垂直方向にｙ軸、水平方向にｘ軸そして伸展ノズル中心軸方向にｚ軸を採っている。各支持ロッド１に装着された単軸ロードセル２で検出した計測値をもとに各支持ロッド１の幾何学的配置情報から解析的に求めた各分力(Ｆｘ, Ｆｙ, Ｆｚ)を算出する。この結果を図８にグラフで示す。このグラフにおいて、横軸は時間で、縦軸は伸展ノズルに作用する荷重と、ノズルに掛かる燃焼圧を環境圧で割って無次元化した値（ＮＰＲ）をとってある。試験中はエンジンの稼働状態を変化させ、高膨張状態（Ｔ１，Ｔ３）と低膨張状態（Ｔ２）が織り交ぜてある。ここでは、環境圧を変動させることにより燃焼状態を変化させ、外荷重として変動荷重を作用させた。
【００２１】
図８に示す伸展ノズルに作用する荷重(Ｆｘ, Ｆｙ, Ｆｚ)とノズル圧力比(ＮＰＲ)の履歴を解析すると、主推力方向の荷重Ｆｚは、高膨張状態の時刻Ｔ１およびＴ３において極大値をとり、最大約５０Ｎの正推力が伸展ノズルに作用していることが分かる。時刻Ｔ２においては燃焼ガス流れが伸展ノズルから完全にはく離しているために正推力は発生せず、約−１０Ｎの逆推力が作用していることが分かる。また、過渡状態では燃焼ガス流れは伸展ノズルから完全にはく離しておらず伸展ノズルは燃焼ガスによる内圧を受けるにもかかわらず、一時的に約−１２０Ｎの大きな逆推力が発生している。一方、Ｆｘ,Ｆｙに関しては、過渡状態において急激なピークが現れており、横力の発生が確認できる。過渡状態では燃焼ガス流れのはく離位置が移動するため流れの状態が非常に不安定であり、はく離縁位置がノズル隙間を飛び越える際にはく離縁が軸に関して非対称性を帯びることにより横力が発生するものと考えられる。
【００２２】
図８での主推力方向の荷重Ｆｚの変動原因を解明するため、はく離縁は軸対称であるとして４種の燃焼ガス流れパターンを考えた。はく離縁位置が定まれば外壁に作用する環境圧と内壁に作用する内圧分布からＦｚを見積もることができるので、Ｆｚの推定値が測定値と一致するようにはく離縁位置を仮定することによりＦｚの履歴およびはく離縁位置の履歴を推定することが出来る。ここでは、計測から得られた環境圧ＰａとＴＤＫ解析によって計算した内圧分布Ｐｎを用いることとし、はく離部分の内圧Ｐｓに関してはＴ２でのＦｚの計測値から逆算してＰｓ＝０.９７×Ｐａと仮定した。なお、Ｐｓは環境圧Ｐａより若干低めの値を取ることから、妥当な仮定と判断した。
Ｆｚの推定値は計測値と非常に良い一致を与えることが可能なことから、その変動ははく離縁位置の移動によって説明することが出来る。すなわち、着火時の環境圧では高膨張状態に至らず、このときの内圧分布によって受ける力は環境圧から受ける力よりも小さいため逆推力が発生する。着火と同時に流れは一気に膨張して高膨張状態(図７のＡ)に変化し、環境圧の低下に伴いＦｚは徐々に増加して極大値をとる。その後環境圧の上昇とともにＦｚは低下し、ある時刻より伸展ノズル出口からのはく離が始まり、伸展ノズル入口ヘ向けてはく離縁位置が移動する。このとき内圧分布による力と環境圧による力の不均衡により一時的に大きな逆推力が発生する。また、完全にはく離した状態(図７のＢ)では正へ推力は発生せず、ＰｓがＰａよりも低いことから若干の逆推力が発生する。
【産業上の利用可能性】
【００２３】
以上の説明では、ロケットエンジンの伸展ノズルに内圧や熱による変形がある場合にそれに作用する外荷重の多分力を計測するものとして進めてきたが、本発明の技術はこれに限定されず、内圧や熱による変形がない場合でも有効であるし、推進方向制御するロケットエンジン、ジェットエンジン等の推力計測にも適用でき、更には円筒形状や円錐台形の中空殻構造体に作用する外荷重の多分力を計測する手法として広く適用できるものである。
【図面の簡単な説明】
【００２４】
【図１】本発明による中空殻構造体の多分力計測方法と従来法との比較説明図である。
【図２】本発明の解析法を説明するモデル構造を示した図である。
【図３】前図のモデルにおける支持ロッドの固定面と中空殻構造体側の端部位置関係を示した図である。
【図４】各ロッドに掛かる荷重の分解成分を説明する図である。
【図５】本発明の１実施例を示す図である。
【図６】前図の実施例を撮像した写真である。
【図７】燃焼試験において伸展ノズルが高膨張状態及び低膨張状態となったときの燃焼ガスの流れを示す写真である。
【図８】伸展ノズルに作用する荷重（ｘ，ｙ，ｚ成分）とノズル圧力比の履歴を示すグラフである。
【図９】従来のロケットエンジンの推力計測試験及び飛翔体等に加わる分力の計測試験における機構を説明する図である。
【符号の説明】
【００２５】
１  支持ロッド                          ２  ロードセル
３  ボールジョイント                    ４  支持ベース
５  中空殻構造体                        ６  固定ノズル
７  燃焼器                              ８  噴射器
【図１】
2006250605.tif 000003
【図２】
2006250605.tif 000004
【図３】
2006250605.tif 000005
【図４】
2006250605.tif 000006
【図５】
2006250605.tif 000007
【図８】
2006250605.tif 000008
【図９】
2006250605.tif 000009
【図６】
2006250605.tif 000010
【図７】
2006250605.tif 000011